(57)【要約】【課題】液晶表示器を備えた洗濯機用表示部において、液晶表示器の端子部の錆びや洗濯機内部の結露に起因する漏電を防止すること、液晶表示器の表示面の曇りを防止すること、または、液晶表示器を制御する制御装置の温度上昇を抑制することが望まれていた。【解決手段】この電気洗濯機１０に組み込まれた操作・表示部１３においては、液晶表示器１６に設けられた接続端子６９は、液晶カバー３６のカバー部５７（端子開口８４）から露出し、制御基板３３の背面に形成された電子回路と電気的に接続されている。そして、ウレタン樹脂１１１により、液晶カバー３６のカバー部５７（端子開口８４）から露出した接続端子６９が被覆されると共に端子開口８４が塞がれている。【選択図】図１１
2008183050.tif 000002
【特許請求の範囲】
【請求項１】
洗濯機の処理内容に関する種々の情報などを表示するための表示面およびこの表示面に電力を供給するための外部接続用の端子部を含む液晶表示器と、
前記液晶表示器の前記端子部を露出させるための端子開口を有し、この端子開口から前記端子部を露出させるように前記液晶表示器を収容した液晶カバーと、
前記液晶カバーから露出した前記端子部と電気的に接続され、前記液晶表示器の表示を制御するための制御基板と、
前記液晶カバーから露出した前記端子部を被覆すると共に前記端子開口を塞ぐ絶縁性材料からなる封止材と、を備えることを特徴とする、洗濯機用表示部。
【請求項２】
前記液晶カバーに設けられ、前記液晶表示器の前記表示面を外部から視認可能にするための表示窓を含む表示パネルと、
前記液晶カバーと前記表示パネルとの間に介在され、前記液晶カバーの内部を密閉するためのシール部材と、を備えることを特徴とする、請求項１記載の洗濯機用表示部。
【請求項３】
前記制御基板を封止して外部と絶縁する封止樹脂を備え、
前記封止材は、前記封止樹脂の一部を利用して形成されていることを特徴とする、請求項１または２に記載の洗濯機用表示部。
【請求項４】
前記液晶カバーは、前記制御基板に対して固定するために成形された爪部、前記爪部の成形時に形成された成形孔および前記成形孔を取り囲み、前記制御基板に向けて突出する成形孔囲い壁を含み、
前記成形孔囲い壁の先端部は、前記封止材により被覆されていることを特徴とする、請求項１ないし３のいずれかに記載の洗濯機用表示部。
【請求項５】
洗濯機の処理内容に関する種々の情報などを表示するための液晶表示器と、
前記液晶表示器と電気的に接続され、前記液晶表示器の表示を制御するための制御基板と、
前記制御基板を収容した基板ケースと、
前記制御基板に載置され、前記制御基板に臨む開口部および前記開口部を取り囲み、前記制御基板に向けて突出する囲い壁を有しており、前記液晶表示器を収容した液晶カバーと、
前記基板ケース内に形成され、前記制御基板を封止すると共に、前記液晶カバーの前記囲い壁の先端部を被覆するための絶縁性材料からなる封止材と、を備えることを特徴とする、洗濯機用表示部。
【請求項６】
請求項１ないし５のいずれかに記載の洗濯機用表示部を備えることを特徴とする、洗濯機。
【請求項７】
前記洗濯機用表示部は、前記洗濯機の前面側に配置されており、
前記洗濯機は、衣類の洗濯および乾燥を行うための処理槽と、
空気が前記洗濯機用表示部の後方を通るように一端および他端がそれぞれ前記処理槽に連通されていて、前記処理槽内の空気を循環させるための乾燥風路と、
前記乾燥風路に設けられ、前記乾燥風路を通る空気を加熱するためのヒータと、を備え、
前記制御基板は、前記乾燥風路の正面の領域から離れた領域に配置され、前記液晶表示器の表示を制御するための表示用制御装置を含むことを特徴とする、請求項６記載の洗濯機。
【請求項８】
前記制御基板は、前記表示用制御装置が形成された第１の領域と、前記第１の領域とは異なる第２の領域とを含み、
相対的に前記第１の領域の後側における厚みが前記第２の領域の後側における厚みより厚くなるように、前記制御基板を封止して外部からの熱を遮るための封止樹脂を備えることを特徴とする、請求項６または７に記載の洗濯機。
【発明の詳細な説明】
【技術分野】
【０００１】
この発明は、液晶を使用した洗濯機用表示部およびその表示部を備えた洗濯機に関する。
【背景技術】
【０００２】
近年、ユーザに対して各種情報を液晶表示することができる洗濯機が提案されている。
たとえば、特許文献１には、洗濯機の使用説明を液晶表示することができる洗濯機が提案されている。この洗濯機には、洗濯機の使用説明を表示するための液晶表示器と、液晶表示器の表示を制御する制御装置（たとえば、マイコン）とを備える使用説明表示装置が組み込まれている。使用説明表示装置は、液晶表示器の端子部（制御装置との電気接続部）や制御装置などにユーザが容易に触れないようにするため、これらの部品が洗濯機の内側に隠れるように、洗濯機に組み込まれている。
【特許文献１】特表２００４−５０５６９８号公報
【発明の開示】
【発明が解決しようとする課題】
【０００３】
ところで、洗濯機は水を使用して洗濯物の洗い・すすぎなどの処理を行なう機器であるため、運転中に洗濯機内部の湿度が上昇し、洗濯機内部が高湿度環境に置かれる場合がある。そのため、洗濯機の経年使用により、洗濯機内部に配置された端子部が錆びて漏電するおそれがある。また、運転中に洗濯機内部の湿度が非常に高い湿度まで上昇してしまうと、洗濯機内部に結露が生じ、その結露が端子部に触れて漏電したり、液晶表示器の内部までもが高湿度環境に置かれ、液晶表示器の表示面が曇ったりするおそれもある。とくに、液晶表示器は水分に弱い部品であるので、内部に水分などが入り込むと故障の原因になる。
【０００４】
また、液晶表示器を制御する制御装置については、熱に弱い部品であるので、近年主流の乾燥機能付き洗濯機において、乾燥運転中の温度上昇について対処する必要がある。
この発明は、かかる背景のもとになされたもので、液晶表示器の端子部の錆びや洗濯機内部の結露に起因する漏電を防止することができる洗濯機用表示部およびこの洗濯機用表示部を備えた洗濯機を提供することを主たる目的とする。
【０００５】
また、この発明は、液晶表示器の表示面の曇りを防止することができる洗濯機用表示部およびこの洗濯機用表示部を備えた洗濯機を提供することを別の目的とする。
さらに、この発明は、液晶表示器を制御する制御装置の温度上昇を抑制することができる洗濯機を提供することを別の目的とする。
【課題を解決するための手段】
【０００６】
請求項１記載の発明は、洗濯機の処理内容に関する種々の情報などを表示するための表示面およびこの表示面に電力を供給するための外部接続用の端子部を含む液晶表示器と、前記液晶表示器の前記端子部を露出させるための端子開口を有し、この端子開口から前記端子部を露出させるように前記液晶表示器を収容した液晶カバーと、前記液晶カバーから露出した前記端子部と電気的に接続され、前記液晶表示器の表示を制御するための制御基板と、前記液晶カバーから露出した前記端子部を被覆すると共に前記端子開口を塞ぐ絶縁性材料からなる封止材と、を備えることを特徴とする、洗濯機用表示部である。
【０００７】
請求項２記載の発明は、前記液晶カバーに設けられ、前記液晶表示器の前記表示面を外部から視認可能にするための表示窓を含む表示パネルと、前記液晶カバーと前記表示パネルとの間に介在され、前記液晶カバーの内部を密閉するためのシール部材と、を備えることを特徴とする、請求項１記載の洗濯機用表示部である。
請求項３記載の発明は、前記制御基板を封止して外部と絶縁する封止樹脂を備え、前記封止材は、前記封止樹脂の一部を利用して形成されていることを特徴とする、請求項１または２に記載の洗濯機用表示部である。
【０００８】
請求項４記載の発明は、前記液晶カバーは、前記制御基板に対して固定するために成形された爪部、前記爪部の成形時に形成された成形孔および前記成形孔を取り囲み、前記制御基板に向けて突出する成形孔囲い壁を含み、前記成形孔囲い壁の先端部は、前記封止材により被覆されていることを特徴とする、請求項１ないし３のいずれかに記載の洗濯機用表示部である。
【０００９】
請求項５記載の発明は、洗濯機の処理内容に関する種々の情報などを表示するための液晶表示器と、前記液晶表示器と電気的に接続され、前記液晶表示器の表示を制御するための制御基板と、前記制御基板を収容した基板ケースと、前記制御基板に載置され、前記制御基板に臨む開口部および前記開口部を取り囲み、前記制御基板に向けて突出する囲い壁を有しており、前記液晶表示器を収容した液晶カバーと、前記基板ケース内に形成され、前記制御基板を封止すると共に、前記液晶カバーの前記囲い壁の先端部を被覆するための絶縁性材料からなる封止材と、を備えることを特徴とする、洗濯機用表示部である。
【００１０】
請求項６記載の発明は、請求項１ないし５のいずれかに記載の洗濯機用表示部を備えることを特徴とする、洗濯機である。
請求項７記載の発明は、前記洗濯機用表示部は、前記洗濯機の前面側に配置されており、前記洗濯機は、衣類の洗濯および乾燥を行うための処理槽と、空気が前記洗濯機用表示部の後方を通るように一端および他端がそれぞれ前記処理槽に連通されていて、前記処理槽内の空気を循環させるための乾燥風路と、前記乾燥風路に設けられ、前記乾燥風路を通る空気を加熱するためのヒータと、を備え、前記制御基板は、前記乾燥風路の正面の領域から離れた領域に配置され、前記液晶表示器の表示を制御するための表示用制御装置を含むことを特徴とする、請求項６記載の洗濯機である。
【００１１】
請求項８記載の発明は、前記制御基板は、前記表示用制御装置が形成された第１の領域と、前記第１の領域とは異なる第２の領域とを含み、相対的に前記第１の領域の後側における厚みが前記第２の領域の後側における厚みより厚くなるように、前記制御基板を封止して外部からの熱を遮るための封止樹脂を備えることを特徴とする、請求項６または７に記載の洗濯機である。
【発明の効果】
【００１２】
請求項１記載の発明によれば、液晶表示器は、洗濯機の処理内容に関する種々の情報などを表示するための表示面およびこの表示面に電力を供給するための外部接続用の端子部を備えており、この端子部が端子開口から露出するように液晶カバーに収容されている。液晶カバーから露出した端子部は、制御基板と電気的に接続され、さらに絶縁性材料からなる封止材で被覆されている。また、この封止材は、端子部を被覆すると共に端子開口を塞いでいる。そして、この発明の洗濯機用表示部は、たとえば、液晶カバー、端子部および制御基板が洗濯機の内側に隠れるように洗濯機に組み込まれる。
【００１３】
洗濯機用表示部において露出した端子部が封止材により被覆されているので、洗濯機内部の湿度が上昇して洗濯機内部が高湿度環境になったとしても、端子部がそのような環境に置かれることがない。そのため、洗濯機を経年使用しても、端子部が錆びることを抑制することができ、端子部の錆に起因する漏電を防止することができる。さらに、洗濯機内部に結露が生じた場合については、その結露が端子部に触れることを防止することができるので、洗濯機内部の結露に起因する漏電も防止することができる。
【００１４】
また、端子開口が封止材で塞がれているので、端子開口から蒸気や水分が液晶カバー内に入り込まない。そのため、液晶カバーに収容された液晶表示器の表示面の曇りを防止することができる。
請求項２記載の発明によれば、洗濯機用表示部には、液晶表示器の表示面を外部から視認可能にするための表示窓を含む表示パネルが、シール部材を介して液晶カバーの内部を密閉するように液晶カバーに設けられている。これにより液晶カバーの内部が密閉状態にされている。そのため、洗濯機の運転中に液晶カバーが高湿度環境に置かれたとしても、液晶カバー内への蒸気や水分の侵入路が確実に遮断されているので、液晶カバー内の液晶表示器の表示面が曇ることを防止することができる。
【００１５】
請求項３記載の発明によれば、液晶表示器の端子部を被覆する封止材が、制御基板を封止する封止樹脂の一部を利用して形成されている。制御基板を封止する封止樹脂（例えば、ウレタン樹脂など）の一部が端子部を被覆する材料に利用されているので、別途封止材を用意する必要がなく、コストを抑えることができる。また、製造の際には、一度の作業で封止できるので製造工程の効率化（たとえば、製造工程の時間短縮など）を図ることができる。
【００１６】
請求項４記載の発明によれば、液晶カバーは、爪部によって制御基板に固定されている。また、液晶カバーには、爪部の成形時に形成された成形孔およびこの成形孔を取り囲み、制御基板に向けて突出する成形孔囲い壁が形成されている。そして、液晶カバーが制御基板に固定された状態において、成形孔囲い壁の先端部が封止材により被覆されている。成形孔が成形孔囲い壁に取り囲まれているので、液晶カバーにおける、成形孔を通る蒸気や水分の侵入路の入口が、成形孔囲い壁の先端部となるところ、この先端部が封止材により被覆されているので、液晶カバー内への蒸気や水分の侵入を防止することができる。また、成形孔囲い壁の先端部を被覆するだけでよいので、封止材の使用量を減らしてコストを低減することもできる。
【００１７】
請求項５記載の発明によれば、制御基板は、基板ケースに収容されており、基板ケースに収容された制御基板には、液晶表示器を収容した液晶カバーが載置されている。また、液晶カバーが制御基板に載置された状態においては、液晶カバーの開口部を取り囲む囲い壁が制御基板に向けて突出している。そして、基板ケース内に封止材が形成されることによって、制御基板が封止されると共に、囲い壁の先端部が被覆されている。
【００１８】
そして、この発明の洗濯機用表示部は、たとえば、基板ケース、制御基板および液晶カバーが洗濯機の内側に隠れるように洗濯機に組み込まれる。
洗濯機用表示部において、開口部が囲い壁に取り囲まれているので、液晶カバーにおける、開口部を通る蒸気や水分の侵入路の入口が、囲い壁の先端部となるところ、この先端部が封止材により被覆されているので、囲い壁を介して開口部から蒸気や水分が液晶カバー内に入り込まない。そのため、液晶カバー内の、液晶表示器の表示面の曇りを防止することができる。また、囲い壁の先端部を被覆するだけでよいので、封止材の使用量を減らしてコストを低減することもできる。
【００１９】
さらに、製造の際には、基板ケースに封止材を流し込むという、一度の作業で制御基板の封止と囲い壁の先端部の被覆とを行うことができるので、製造工程の効率化（たとえば、製造工程の時間短縮など）を図ることができる。
請求項６記載の発明によれば、この発明の洗濯機には、請求項１ないし５のいずれかに記載の洗濯機用表示部が備えられている。そのため、この洗濯機においては、液晶表示器の端子部の錆や洗濯機内部における結露の発生に起因する漏電を防止することができ、さらに液晶表示器の表示面の曇りを防止することもできる。
【００２０】
請求項７記載の発明によれば、洗濯機用表示部は、洗濯機の前面側に配置されており、その後方には、ヒータによって加熱される温風を処理槽内に循環させる乾燥風路が備えられている。また、洗濯機用表示部の制御基板に備えられる表示用制御装置は、乾燥風路の正面の領域から離れた領域に配置されている。そのため、洗濯機の乾燥運転中に乾燥風路内（洗濯機用表示部の後方）を温風が流れ続けたとしても、表示用制御装置が風路正面の領域から離れているので、表示用制御装置が乾燥風路の熱により熱せられて温度上昇することを抑制することができる。
【００２１】
請求項８記載の発明によれば、制御基板は、表示用制御装置が形成された第１の領域と、この第１の領域とは異なる第２の領域とを有している。また、制御基板は、外部からの熱を遮るための封止樹脂で封止されており、この封止樹脂は、相対的に第１の領域の後側において第２の領域の後側よりも厚くされている。熱に弱い表示用制御装置の配置領域（第１の領域）の後側の厚みだけが厚くされているので、必要最小限の封止樹脂で表示用制御装置の温度上昇を抑制することができる。また、製造の際には、封止樹脂の量を全体的に少なくできるので、製造工程の効率化（たとえば、製造工程の時間短縮、コストダウンなど）を図ることができる。
【発明を実施するための最良の形態】
【００２２】
以下では、この発明の実施の形態を、添付図面を参照して詳細に説明する。
図１は、この発明の一実施形態に係る電気洗濯機１０の正面図である。
電気洗濯機１０は、その外殻を構成する正面視縦長略長方形状のハウジング１１を有する。ハウジング１１の内部上方には洗濯槽（後述する）が配置されており、その内部下方には貯水タンク（後述する）が配置されている。
【００２３】
ハウジング１１の正面上方には、開口が形成され、開口には開閉可能な扉１２が備えられている。扉１２は、たとえばその主表面が透明な強化ガラスで構成されており、内部にある洗濯槽内の衣類の様子が視認できる。
ハウジング１１の正面上部（扉１２の上方）には、操作・表示部１３（洗濯機用表示部）が配置されている。操作・表示部１３には、複数個の操作キー１４および複数個の表示器１５ならびに液晶表示器１６が配列されている。液晶表示器１６は、後述するように、電気洗濯機の処理内容に関する種々の情報を表示するためのものである。
【００２４】
図２は、電気洗濯機１０を左後方斜め上部から見た斜視図であり、ハウジング１１を構成する背面パネルおよび上面パネルが取り外された状態の図である。また、図３は、電気洗濯機１０を右後方から見た斜視図であり、ハウジングベース１１Ｂを除き、ハウジング１１が取り外された状態の斜視図である。
図２および図３を参照して、電気洗濯機１０には、洗濯槽２０（処理槽）が備えられている。洗濯槽２０は、外槽２１と、外槽２１内に設けられた円筒状の内槽（ドラム２４：図４参照）とを含んでいる。そして外槽２１の背面にはＤＤモータ２２が取り付けられており、ＤＤモータ２２によって外槽２１内で内槽（ドラム２４）が回転され得る。また、内槽（ドラム２４）の回転軸は、水平方向に対して前方が斜め上方に傾けられていて、いわゆる斜めドラム構造が採用されている。また、外槽２１は、複数のダンパ２３によってハウジングベース１１Ｂに取り付けられている。
【００２５】
外槽２１の上方右側には注水口ユニット２５が設けられている。注水口ユニット２５は、外槽２１内へ洗いやすすぎのための水が供給される場合に、当該水が通過するユニットである。このユニット２５内には、洗剤容器４７（図４参照）が備えられていて、供給される水が洗剤容器内を流れ、それに伴い洗剤が水と一緒に供給されたり、供給されなかったりを選択可能になっている。
【００２６】
この電気洗濯機１０は、洗いやすすぎに風呂水を用いることができる。そのために、注水口ユニット２５の左側に隣接するように風呂水を汲み上げる手段としての風呂水ポンプ２６が備えられている。
さらに、洗濯槽２０では、洗いおよびすすぎに加えて乾燥も行える。そのために、外槽２１の左側後方には乾燥風路２８が接続されている。乾燥風路２８は、外槽２１のたとえば後部下方から湿った空気を吸い出し、その空気を上方へ導く間に、空気の除湿を行う。乾燥風路２８の上部には、接続ホース６０を介して、ブロアユニット２９が接続されている。ブロアユニット２９は、操作・表示部１３の後方において外槽２１の前部上側に接続され、乾燥風路２８で導かれた除湿後の空気を外槽２１の前部上方から再び外槽２１内へ送り込むためのものである。ブロアユニット２９内には、ブロアユニット２９を通る空気を加熱するためのヒータ６５が備えられている。この電気洗濯機１０においては、乾燥風路２８、接続ホース６０およびブロアユニット２９が外槽２１内の空気を循環させるための乾燥風路を構成している。
【００２７】
電気洗濯機１０には、さらに、ブロアユニット２９の近傍にオゾン発生ユニット３０が備えられている。オゾン発生ユニット３０は、後述するように、水浄化手段として機能するとともに、乾燥時やエアウォッシュ時にも、オゾンを発生させて、乾燥される衣類の除菌・脱臭や、洗濯槽２０に入れられた衣類を除菌・脱臭するエアウォッシュに寄与する。
電気洗濯機１０には、洗濯槽２０の下方に貯水タンク４０が備えられている。貯水タンク４０は、外槽２１から排水される水や、風呂水ポンプ２６で汲み上げられた風呂水を溜めるためのタンクである。貯水タンク４０の近傍には、貯水タンク４０の水を汲み出すための循環ポンプ４１が備えられている。
【００２８】
さらに、外槽２１、注水口ユニット２５、乾燥風路２８、貯水タンク４０等の間で水を行き来させたり、オゾンを含む空気を行き来させたりするために、多数のホースが配置されている。
図４は、図１〜図３で説明した電気洗濯機１０における水を循環させる循環水路およびオゾンを含む空気を供給するオゾン供給路の構成を表わす浄化循環水路図である。
【００２９】
図４を参照して、水栓４３から供給される水道水は、給水バルブ４４の開閉制御により、注水口ユニット２５および接続ホース４５を通って洗濯槽２０内へ供給される。このとき、給水バルブ４４を切り換えることによって、水道水が第１流路４６を通って注水口ユニット２５内の洗剤容器４７内を流れるか、第２流路４８を通り、注水口ユニット２５内のソフナー容器４９内を流れるかを選択できる。
【００３０】
洗濯槽２０（外槽２１）内の水は、排水口パイプ５０に設けられた排水バルブ５１を開閉制御することにより排出できる。排水バルブ５１には中間ホース５２を介してフィルタユニット５３が接続されている。フィルタユニット５３は、外槽２１から排出される水に含まれるリントや異物を捕獲するためのものである。フィルタユニット５３に入った水は、排水パイプ５４およびバルブ８３を通り、排水ホース５５からハウジング１１外へ排出される。ハウジング１１外では、たとえば外部排水ホース５６を通り、排水トラップ５７へと排出される。
【００３１】
以上が、水道水を用いて洗いおよびすすぎを行う場合の、節水機能を実行しないときの水の流れである。
乾燥工程では、ブロアユニット２９内のブロア（図示せず）が作動され、洗濯槽２０内の空気は乾燥風路２８へ流出され、接続ホース６０を通り、ブロアユニット２９内で加熱され、接続ホース６１を通って洗濯槽２０内へ還流される。洗濯槽２０内の温かく湿った空気は、乾燥風路２８内で熱交換により除湿される。そのため、給水バルブ４４が開閉制御され、水栓４３から供給される水道水は給水ホース６２を通り熱交換のために乾燥風路２８内へ与えられる。
【００３２】
ブロアユニット２９が作動しているときに、オゾン発生ユニット３０を作動させると、ブロアユニット２９で生じる負圧により、オゾン発生ユニット３０で発生されるオゾンがエアホース６４を介してブロアユニット２９へ取り込まれ、取り込まれたオゾンは接続ホース６１を通って洗濯槽２０へ供給され、内槽２４内に収容された衣類の除菌・消臭が行われる。
【００３３】
以上が、節水機能を実行しない場合の乾燥時の水および空気の流れである。
この実施形態に係る電気洗濯機１０は、前述したように、風呂水を用いて洗いやすすぎを行うことができる。そのため、風呂水ポンプ２６が備えられている。風呂水ポンプ２６には、浴槽６６から風呂水を汲み上げるための風呂水ホース６７が接続可能である。風呂水ポンプ２６は、自給式ポンプであり、呼び水を供給するための呼び水水路７０が接続されている。給水バルブ４４の開閉が制御され、水栓４３から供給される水道水が注水口ユニット２５へ供給されると、その一部は、呼び水水路７０を通って風呂水ポンプ２６へ与えられる。この与えられる水（呼び水）により風呂水ポンプ２６は風呂水の汲み上げが可能になる。そして風呂水ホース６７を通って汲み上げられる風呂水は、風呂水ポンプ２６の吐出口に接続された給水ホース７１を通り、循環バルブ７２、エゼクタ７３および接続ホース７４を流れて貯水タンク４０に溜められる。
【００３４】
風呂水がエゼクタ７３を通過する際、オゾン発生ユニット３０が通電されていると、オゾン発生ユニット３０で発生するオゾンはエアホース７５を通ってエゼクタ７３に与えられる。エゼクタ７３では、風呂水が流れる際に生じる負圧により、エアホース７５からオゾンを取り込み、オゾンは風呂水に混入される。よって、貯水タンク４０に溜められる風呂水は、溜められる途中にオゾンが混入され、第１次の浄化処理を受ける。第１次の浄化処理は、貯水タンク４０への流入時になされる浄化処理である。
【００３５】
貯水タンク４０には、接続ホース７７の一端が接続されており、貯水タンク４０に溜まった風呂水を汲み出すことができる。接続ホース７７の他端は循環ポンプ４１の吸い込み口に接続されている。循環ポンプ４１も自給式のポンプであり、注水ホース７８を介して呼び水が供給され得る。給水バルブ４４の開閉制御がされ、水栓４３から供給される水道水が注水口ユニット２５へ与えられると、その一部は前述したように呼び水水路７０を介して風呂水ポンプ２６へ与えられる。これとともに、注水ホース７８を介して循環ポンプ４１へも呼び水が与えられる。
【００３６】
循環ポンプ４１の吐出口７９には、循環バルブ７２が接続されている。循環バルブ７２は、五方バルブであり、第１出口には、前述したエゼクタ７３を介して接続ホース７４が接続されており、接続ホース７７から汲み出された貯水タンク４０の水を循環させることができる。貯水タンク４０の水を汲み出し、エゼクタ７３を経由して循環させることにより、エゼクタ７３を通過する際にオゾン発生ユニット３０で発生されるオゾンを混入することができ、貯水タンク４０に溜められた風呂水にオゾンを用いて第２次の浄化処理をすることができる。第２次の浄化処理は、貯水タンク４０に溜められた風呂水を循環させて行う浄化処理である。
【００３７】
第２出口には、給水ホース８０が接続されており、給水ホース８０を介して注水口ユニット２５へ水を供給し、注水口ユニット２５から接続ホース４５を経由して洗濯槽２０へ貯水タンク４０の水を供給することができる。
第３出口には、接続ホース８１の一端が接続されており、その他端は乾燥風路２８内のチャンバー（図示せず）に開口している。よって、循環ポンプ４１から吐出される水をチャンバーから乾燥風路２８内へ落下させ、貯水タンク４０において熱交換用の水として用いることができる。なお、熱交換に用いられなかった余った水は、チャンバーから接続ホース６３を通り、貯水タンク４０内に戻る。
【００３８】
第４出口には、接続ホース８２の一端が接続されており、その他端はバルブ８３を介して排水パイプ５４に接続されている。よって循環バルブ７２を切り換え、バルブ８３を開閉制御することにより、貯水タンク４０の水を排水ホース５５から機外へ排出することができる。
この電気洗濯機１０は、風呂水を貯水タンク４０に溜め、その風呂水を浄化するだけでなく、洗濯槽２０から排出される洗いやすすぎに使用した後の水を溜めることもできる。そのために、フィルタユニット５３には、排水パイプ５４が接続された出口の他に、中間ホース８５の一端が接続された出口が備えられている。そして中間ホース８５の他端は、バルブ８６を介して貯水タンク４０に連通されている。よって、バルブ８３およびバルブ８６を切り換え制御することにより、外槽２１から排出される水は、排水口パイプ５０、排水バルブ５１、中間ホース５２、フィルタユニット５３、中間ホース８５およびバルブ８６を通って貯水タンク４０へ溜めることができる。
【００３９】
そして、貯水タンク４０に溜められた既使用水も、接続ホース７７、循環ポンプ４１、循環バルブ７２、エゼクタ７３および接続ホース７４を通る循環路を循環させることにより、オゾンを用いて浄化することができる。
さらに、外槽２１には溢水ホース８８の一端が接続されており、溢水ホース８８の他端は溢水ホース８９の一端と接続され、溢水ホース８９の他端はバルブ８３と接続されている。外槽２１に溜まった水が所定水位以上に溢れたとき、その水は溢水ホース８８、８９を通って排出される。その際、外槽２１内の気圧が外気圧と等しくなる必要がある。そのため、溢水ホース８８および８９の接続部と、フィルタユニット５３の入口との間は、エアホース９０で接続され、外槽２１内の気圧が外気圧と等しくなるようにされている。
【００４０】
貯水タンク４０にも溢水ホース９１が設けられている。溢水ホース９１はバルブ８３を介して排水ホース５５と接続されている。
さらに、洗濯槽２０内の水位を検出するために、排水口パイプ５０にはエアトラップホース９２の下端が接続されており、エアトラップホース９２の上端には水位センサ９３が備えられている。よって水位センサ９３により、洗濯槽２０内の水位を確認することができる。
【００４１】
また、貯水タンク４０にもエアトラップホース９４および水位センサ９５が備えられており、貯水タンク４０内に溜まった水の水位を検出することができる。
なお、貯水タンク４０内の水を全て排水して、貯水タンク４０のメンテナンス等を行うことができるよう、貯水タンク４０には手動で開閉可能なドレンホース９６が設けられている。
【００４２】
電気洗濯機１０には、さらに、給水バルブ４４と外槽２１とを接続する給水ホース９８が備えられている。給水バルブ４４の切り換えおよび開閉を制御することにより、水栓４３から供給される水道水を、給水ホース９８を経由して直接洗濯槽２０へ供給することができる。洗濯槽２０へ供給される水道水は、ドラム２４に収容された衣類に対してシャワー状に与えられる。つまり、給水ホース９８を介して水道水を洗濯槽２０へ供給し、いわゆるシャワーすすぎが行えるようにされている。
【００４３】
図５は、操作・表示部１３の外部構成を説明するための図であって、操作・表示部１３の正面図である。
図５を参照して、操作・表示部１３は、その正面を構成する操作・表示パネル１７を有する。この操作・表示パネル１７は、たとえば、ＰＥＴ樹脂およびＡＢＳ樹脂の複合樹脂からなるパネルであり、後述する制御ユニット１８（図６参照）に取り付けられ、ハウジング１１（図１参照）の前面の一部を構成する。
【００４４】
操作・表示パネル１７のたとえば右側上方には電源キー１４０が備えられている。電源キー１４０は、押圧することにより、電気洗濯機１０の電源を投入／遮断するためのキーである。
電源キー１４０の下側には、ドアロック表示器１５１が備えられている。ドアロック表示器１５１は、扉１２が閉じられて、自動的にロックされている場合に、それを利用者に表示するために点灯される表示器である。
【００４５】
ドアロック表示器１５１の下方には、スタート／一時停止キー１４７が備えられている。このキー１４７は、押圧することにより、電気洗濯機１０の運転を開始させたり、一時停止させたりするためのキーである。
操作・表示パネル１７の上下方向中央部には、左右に並ぶように、４つの表示器１５２〜１５５が配置されている。これら表示器１５２〜１５５は、電気洗濯機１０の処理（動作）工程を利用者に知らせるための表示器である。具体的には、電気洗濯機１０が洗い工程中に点灯する洗い表示器１５２、すすぎ工程中に点灯するすすぎ表示器１５３、脱水工程中に点灯する脱水表示器１５４、および、（スチーム）乾燥工程中に点灯するスチーム乾燥表示器１５５である。
【００４６】
これら処理工程表示器１５２〜１５５の下側には、左右方向に、アクアループキー１４１、エアウォッシュキー１４２、コース選択キー１４３および洗濯／乾燥切り換えキー１４４が設けられている。
アクアループキー１４１の左側には、上下方向に「リサイクル水」「浄化風呂水」「水道水」の記載が並んでいる。アクアループキー１４１が押圧される毎に、これら３つの表示の１〜３つが選択的に点灯する。点灯している種類の水が、電気洗濯機１０の処理で使用される。
【００４７】
エアウォッシュキー１４２の左側には、上下方向に「ハイパワー」「ドラム回転」「ドラム静止」の３つの記載が並んでいる。エアウォッシュキー１４２が押圧されると、「ハイパワー」の点灯または消灯、「ドラム回転」または「ドラム静止」の選択的な点灯、全ての表示の消灯が選択できる。「ハイパワー」点灯時は、エアウォッシュ時に供給されるオゾン濃度が濃くされる。「ドラム回転」点灯時は、エアウォッシュ時にドラム２４（図４参照）が回転する。「ドラム静止」点灯時は、エアウォッシュ時にドラム２４は回転しない。
【００４８】
なお、エアウォッシュとは、ドラム２４内に収容された衣類に対し、オゾンを含む空気を与え、オゾンによって衣類に付着した雑菌等の除菌および消臭を行う処理のことであり、洗濯や乾燥処理とは異なる独立した処理である。エアウォッシュでは、オゾンを含む空気（エア）によって、衣類があたかもエアで洗われ、除菌・消臭がされるかの如くであるから、本願出願人は、オゾンを用いて行う衣類の除菌・消臭をエアウォッシュと称している。
【００４９】
コース選択キー１４３の左領域には、種々の選択コース等が表示されている。コース選択キー１４３を押圧することにより、所望の洗濯処理コースを選ぶことができる。
洗濯／乾燥切り換えキー１４４は、洗濯のみを行うか、乾燥のみを行うか、両方行うか、を切り換えるためのキーである。
操作・表示パネル１７には、処理工程表示器１５２〜１５５の上部に、後述する液晶表示器１６の表示面３９（図６参照）を外部から視認可能にするための窓２７（表示窓）が形成されている。ユーザは、この窓２７を通して液晶表示器１６の表示面３９に表示された内容を視認することができる。
【００５０】
窓２７の左側には、電気洗濯機１０の動作開始時間を予約するときのキーである予約キー１４６が設けられている。一方、窓２７の右側には、後述する液晶表示器１６に表示される処理内容を表示したい場合に押す「おしえてキー１４５」が設けられている。
次に、操作・表示パネル１７を取り外した操作・表示部１３の内部構成について説明する。
【００５１】
図６は、操作・表示部１３の内部構成を説明するための図であって、制御ユニット１８の正面図である。なお、この図６において、図５に示す複数の操作キー（１４０〜１４６）および複数の表示器（１５１〜１５５）については、同一の符号を用いて示している。
制御ユニット１８は、操作・表示パネル１７の裏側に配置され、その外殻を構成する正面側が開放された横長の略長方形状のケース１９（基板ケース）を有する。ケース１９の側壁には、その一部が内側に凹まされて複数の凹部が形成されている。これら凹部の底壁には、前後方向に貫通する孔３１が形成されている。
【００５２】
孔３１は、操作・表示パネル１７を制御ユニット１８にねじ止めする際にねじ１１２（図１０（ａ）参照）を通すためのものであり、これら孔３１と操作・表示パネル１７に形成されたボス１２６のねじ穴１０９（図１０（ａ）（ｃ）参照）とを位置合わせして、ねじ止めすることにより、操作・表示パネル１７を制御ユニット１８に固定することができる。
【００５３】
また、ケース１９の上側の側壁には、ケース１９の底壁から後方へ突出し、ケース１９の上側の側壁と平行になるように回り込む（図１０参照）係合爪３２が、ケース１９と一体的に形成されている。係合爪３２は、制御ユニット１８をハウジング１１に固定するための爪であり、これら係合爪３２とハウジング１１の前面裏側に形成された係合受け部（図示せず）とを係合することによって、制御ユニット１８をハウジング１１に固定することができる。
【００５４】
ケース１９の内部には、制御基板３３が設置されている。制御基板３３には、たとえば、その正面および背面の両方にそれぞれ所定のパターンで電子回路が形成されている。正面と背面の電子回路とは、制御基板３３を貫通するスルーホール（図示せず）を介して電気的に接続されている。
制御基板３３の正面右側には、操作プレート３５が取り付けられている。操作プレート３５には、電源キー１４０、ドアロック表示器１５１およびスタート／一時停止キー１４が形成されている。
【００５５】
また、制御基板３３の正面左側下部には、操作プレート３４が取り付けられている。操作プレート３４には、アクアループキー１４１、エアウォッシュキー１４２、コース選択キー１４３および洗濯／乾燥切り換えキー１４４、ならびに処理工程表示器１５２〜１５５が形成されている。さらに、操作プレート３４には、「リサイクル水」「浄化風呂水」「水道水」などの記載を点灯させるためのＬＥＤ１５０が配列されている。
【００５６】
また、制御基板３３の正面の操作プレート３４の上側には、液晶カバー３６が取り付けられている。液晶カバー３６の横方向両側には、左側に予約キー１４６、右側におしえてキー１４５が、それぞれ形成されている。また、液晶カバー３６の内部には、液晶ケース３７に収容された液晶表示器１６が収容されており、その周囲がパッキン６８（シール部材）で取り囲まれている。
【００５７】
従来、電気洗濯機には、たとえば７セグメント等の表示器を利用して、エラーが生じたときに、エラーの種類が何であるかを記号として表示するようにしたものがあった。しかし、電気洗濯機において、液晶表示器を設け、積極的に、洗濯処理に関する種々の情報を表示できるようにするという発想は、従来存在しなかった。
この実施形態に係る電気洗濯機１０では、液晶表示器１６を設け、電気洗濯機１０の運転中に、
（１）たとえば洗剤の異常発泡を検知して、異常発泡を静めるための処理を行った場合、
（２）脱水時に、衣類のアンバランスを自動的に修正する処理を行った場合、
（３）貯水タンク４０に溜めた風呂水の浄化に標準時間以上の時間を要した場合
等に、それら自動的に行った処理（１）〜（３）等の内容を、利用者に表示できるようにした。
【００５８】
液晶表示器１６に表示される上述のような処理内容は、好ましくは、上述した「おしえてキー１４５」を利用者が押したことに、制御基板３３の背面の液晶カバー３６の後方に設けられたマイコン３８（表示用制御装置）が応答して、液晶表示器１６の表示面３９に表示される。
図７は、液晶カバー３６の構成を示す図であって、図７（ａ）は液晶カバー３６を右前方斜め上方から見た斜視図であり、図７（ｂ）は平面図、図７（ｃ）は正面図、図７（ｄ）は左側面図、図７（ｅ）は右側面図、図７（ｆ）は底面図、図７（ｇ）は背面図をそれぞれ示している。
【００５９】
図７を参照して、液晶カバー３６は、たとえば、絶縁性のＡＢＳ樹脂からなり、収容部５８と、この収容部５８の横方向両側に配置されるスイッチ部５９とが一体的に形成されている。
収容部５８は、正面が開放された横長の略直方体形状をしている。収容部５８内部の横方向両端略中央には、後述する液晶ケース３７の係合爪１０７を係合するために開口された係合受け部１０４が形成されている。液晶ケース３７が収容部５８に収容される際には、この係合受け部１０４に係合爪１０７（図８参照）が係合される。係合受け部１０４の周囲には、係合受け部１０４を取り囲み、収容部５８の背面から突出する囲い壁１２２が形成されている。これにより、液晶カバー３６における、係合受け部１０４を通る外部との流通路の入口は、囲い壁１２２の先端部１２５の開口となる。
【００６０】
また、収容部５８の背面下側略中央には、収容部５８から後方に張り出したカバー部７６が収容部５８と一体的に形成されている。カバー部７６は後方に向けてその上下方向の幅が狭くなっており、その後側端面には、後側端面からカバー部７６を貫通して収容部５８の底面にまで達する複数の端子開口８４が形成されている。端子開口８４は、後述する液晶表示器１６の接続端子６９を露出させるための開口であり、横方向に所定の間隔を空けて形成されている。
【００６１】
収容部５８の背面横方向両端からやや内側には、後述する制御基板３３の係合受け部１１３（図１０（ｂ）参照）に係合される係合爪１００（爪部）が、収容部５８の背面から後方へ向けて突出するように、収容部５８と一体的に形成されている。係合爪１００を係合受け部１１３に係合することにより、液晶カバー３６を制御基板３３に取り付けることができる。係合爪１００の周辺には、たとえば、係合爪１００の成形時にジグを使用して係合爪１００の位置決めを行なうことによって、開口９９（成形孔）が形成されている。この開口９９の周囲には、開口９９を取り囲み、収容部５８の背面から突出する囲い壁１２１（成形孔囲い壁）が形成されている。これにより、液晶カバー３６における、開口９９を通る外部との流通路の入口は、囲い壁１２１の先端部１２３の開口となる。
【００６２】
収容部５８の背面には、複数（たとえば、この実施形態では６つ）の支持部材９７が所定の間隔を隔てて形成されている。この支持部材９７は、制御基板３３上において液晶カバー３６を支持するための土台であって、たとえば、円柱状に形成されている。液晶カバー３６が支持部材９７で支持されることにより、液晶カバー３６と制御基板３３との間には、スペース（空間）が設けられている。また、支持部材９７の一つには、制御基板３３に対する液晶カバー３６の位置決めに用いられる、突起１１０が形成されている。液晶カバー３６が制御基板３３に取り付けられた状態で、この突起１１０は、制御基板３３の嵌合穴（図示せず）に嵌め込まれている。
【００６３】
また、収容部５８の背面略中央部には、ボス１２４が形成されており、このボス１２４の中心にねじ穴１０５が形成されている。ねじ穴１０５は、液晶カバー３６と制御基板３３とを固定するためのねじ１１５（図１０（ｃ）参照）を螺入するための穴である。
さらに、収容部５８の周縁部には、その外周に沿って断面略半円形状に掘り下げられた溝８７が形成されている。溝８７はパッキン６８を詰める空間である。
【００６４】
スイッチ部５９は収容部５８の左右両側に配置されており、上述したように、左側のスイッチ部５９には、予約キー１４６が形成され、右側のスイッチ部５９には、おしえてキー１４５が形成されている。また、スイッチ部５９には左右両側とも、それらの背面から後方に突出する係合爪１０３が形成されている。係合爪１０３は、係合爪１００と同様に制御基板３３の係合受け部（図示せず）に係合されるものである。
【００６５】
図８は、液晶ケース３７の構成を示す図であって、図８（ａ）は液晶ケース３７を右前方斜め上方から見た斜視図であり、図８（ｂ）は正面図、図８（ｃ）は底面図、図８（ｄ）は左側面図、図８（ｅ）は右側面図、図８（ｆ）は背面図をそれぞれ示している。
液晶ケース３７は、その外周が液晶カバー３６の収容部５８の内周と略同じ大きさに形成され、正面が開放された横長の略直方体形状をしている。
【００６６】
液晶ケース３７の下縁中央には、溝部１０６が形成されている。溝部１０６には、液晶カバー３６の端子開口８４（図７参照）の開口間隔と同じ間隔を隔てて整列された複数の溝が形成されている。これにより、液晶ケース３７が液晶カバー３６（収容部５８）に収容された状態においても、端子開口８４が液晶ケース３７で隠されることがないので、液晶ケース３７に収容された液晶表示器１６の接続端子６９を、端子開口８４を介して液晶カバー３６の背面にまで通すことができる。
【００６７】
また、液晶ケース３７の背面横方向両端には、背面から後方に突出する係合爪１０７が形成されている。係合爪１０７は、液晶ケース３７を液晶カバー３６に収容する際に、液晶カバー３６の係合受け部１０４（図７参照）に係合されるものである。
図９は、操作・表示部１３の組立構造を説明するための平面図であって、各構成要素を透かして示している。また、図１０は、操作・表示部１３の組立構造を説明するための断面図であって、図１０（ａ）は図９に示すＡ−Ａの切断面で切断したときの断面図、図１０（ｂ）は図９に示すＢ−Ｂの切断面で切断したときの断面図、図１０（ｃ）は図９のＣ−Ｃで示す切断面で切断したときの断面図である。なお、これらの図においては操作・表示パネル１７が取り付けられている側を正面側とする。
【００６８】
図９および図１０を参照して、制御ユニット１８のケース１９には制御基板３３が載置されている。
制御基板３３の正面には、液晶カバー３６が、たとえば、係合爪１００と制御基板３３の係合受け部１１３との係合により取り付けられ（図１０（ｂ）参照）、さらにねじ穴１０５に対するねじ１１５の螺入により固定されている（図１０（ｃ）参照）。液晶カバー３６が取り付けられた状態では、液晶カバー３６の支持部材９７が、液晶カバー３６と制御基板３３との間に介在することにより、液晶カバー３６と制御基板３３との間にスペース１１６が形成されている。そのため、たとえば、この実施形態にかかるマイコン３８より小さいサイズのマイコン１１７（図９参照）などであれば、このスペース１１６を有効利用して制御基板３３上に配置することができる。
【００６９】
液晶カバー３６には、液晶表示器１６を収容した液晶ケース３７が、係合爪１０７と係合受け部１０４との係合により収容されている（図１０（ａ）参照）。そして、液晶表示器１６の下端に設けられた、表示面３９に電力を供給するための外部接続用の接続端子６９（端子部）は、液晶カバー３６のカバー部７６（端子開口８４）から露出し、たとえば、制御基板３３に形成されたスルーホール（図示せず）を介して、制御基板３３の背面に形成された電子回路と電気的に接続されている（図１０（ｃ）参照）。
【００７０】
また、制御基板３３の正面には、操作プレート３４が、たとえば、操作プレート３４に形成された係合爪１１４と制御基板３３の係合受け部（図示せず）との係合により取り付けられている。制御基板３３の正面には、さらに、操作プレート３５が操作プレート３４と同様の方法（図示しない係合爪と係合受け部との係合）により取り付けられている。
一方、制御基板３３の背面には、上述したように、マイコン３８がたとえば、半田接合などにより取り付けられている（図１０（ｂ）参照）。なお、ここでは図示しないが、マイコン３８は、液晶表示器１６の接続端子６９に接続された電子回路と電気的に接続されている。そのため、マイコン３８は、この電子回路を介して液晶表示器１６の表示を制御することができる。
【００７１】
そして、制御基板３３は、外部と絶縁することができ、かつ、外部からの熱を遮ることができるウレタン樹脂１１１（封止材、封止樹脂）により、その全部が封止されている。
とくにこの操作・表示部１３においては、ウレタン樹脂１１１は、ケース１９内の深さ方向において、ケース１９の底面から、端子カバー３６のカバー部５７（端子開口８４）から露出した接続端子６９、端子開口８４、囲い壁１２１の先端部１２３および囲い壁１２２の先端部１２５まで充填されている。これにより、接続端子６９、囲い壁１２１の先端部１２３および囲い壁１２２の先端部１２５はウレタン樹脂１１１に被覆され、また、端子開口８４はウレタン樹脂１１１に塞がれている。
【００７２】
さらに、この操作・表示部１３においては、制御基板３３のマイコン３８が取り付けられたマイコン領域１１８（第１の領域）後方のケース１９の底壁に、マイコン領域１１８とは異なる、電子回路が形成された回路領域１１９（第２の領域）後方の底壁より一段低くされた低段部１２０が形成されている。これにより、マイコン領域１１８の後側におけるウレタン樹脂１１１の厚みは、回路領域１１９の後側におけるウレタン樹脂１１１の厚みより厚くされている（図１０（ｂ）参照）。
【００７３】
そして、制御ユニット１８には、操作・表示パネル１７が、たとえば、ねじ穴１０９に対する１１２の螺入により取り付けられている（図１０（ａ）（ｃ）参照）。
操作・表示パネル１７が取り付けられた状態では、液晶カバー３６の溝８７にパッキン６８が詰め込まれ、このパッキン６８が液晶カバー３６と操作・表示パネル１７との間に介在されている。さらにこのパッキン６８は、ねじ１１２の螺入により溝８７内で押しつぶされているため、液晶カバー３６の収容部５８内が密閉状態にされている。
【００７４】
そして、図９および図１０に示した組立構造を有する操作・表示部１３は、図１１および図１２に示すように、電気洗濯機１０に組み込まれている。
図１１は、電機洗濯機１０に組み込まれた操作・表示部１３を示す断面図であって、図１１（ａ）は図１０（ｂ）に対応する断面図、図１１（ｂ）は図１０（ｃ）に対応する断面図である。また、図１２は、電気洗濯機１０に組み込まれた操作・表示部１３におけるマイコン３８の位置を説明するための電気洗濯機１０の平面図であって、ハウジング１１を構成する背面パネルおよび上面パネルが取り外された状態の図である。
【００７５】
図１１を参照して、操作・表示部１３は、操作・表示パネル１７がハウジング１１の正面の一部を構成するように電気洗濯機１０に組み込まれている。これにより、制御ユニット１８は電気洗濯機１０の内部に配置されている。
上述したように、電気洗濯機１０は洗い・すすぎなど水を使用して洗濯を行なう機器であるため、運転中に電気洗濯機１０内部の湿度が上昇し、内部が高湿度環境に置かれる場合がある。
【００７６】
このような場合であっても、この電気洗濯機１０では、液晶カバー３６のカバー部５７（端子開口８４）から露出した接続端子６９がウレタン樹脂１１１により被覆されているので（図１１（ｂ）参照）、電気洗濯機１０内部が高湿度環境になったとしても、接続端子６９がそのような環境に置かれることがない。そのため、この電気洗濯機１０を経年使用しても、接続端子６９が錆びることを抑制することができ、接続端子６９の錆に起因する漏電を防止することができる。さらに、電気洗濯機１０内部に結露が生じた場合については、その結露が接続端子６９に触れることを防止することができるので、電気洗濯機１０内部の結露に起因する漏電も防止することができる。
【００７７】
また、端子開口８４がウレタン樹脂１１１に塞がれ、さらに囲い壁１２１の先端部１２３および囲い壁１２２の先端部１２５がウレタン樹脂１１１に被覆されているので、端子開口８４、囲い壁１２１の先端部１２３（開口９９）または囲い壁１２２の先端部１２５（係合受け部１０４）から蒸気や水分が液晶カバー３６（液晶ケース３７）内に入り込み、液晶カバー３６（液晶ケース３７）内の液晶表示器１６の表示面３９が曇ることを防止することができる。
【００７８】
また、このような漏電防止や曇り防止が制御基板３３を封止するウレタン樹脂１１１の一部を利用することで行なえる。そのため、別途接続端子６９、囲い壁１２１の先端部１２３および囲い壁１２２の先端部１２５を被覆したり、端子開口８４を塞いだりするための封止材を用意する必要がなく、コストを抑えることができる。また、製造の際には、ウレタン樹脂１１１を用いて一度の作業で制御基板３３の封止、接続端子６９、囲い壁１２１の先端部１２３および囲い壁１２２の先端部１２５の被覆、ならびに、端子開口８４の閉塞をすることができるので製造工程の効率化（たとえば、製造工程の時間短縮など）を図ることができる。
【００７９】
さらに、囲い壁１２１および囲い壁１２２が形成されていることにより、液晶カバー３６における、開口９９および係合受け部１０４を通る外部との流通路の入口が、先端部１２３および先端部１２５に形成された開口となる。つまり、ケース１９の外側に形成された入口（開口９９および係合受け部１０４）の位置が、ケース１９の内側である、ケース１９の底面側に形成された入口（先端部１２３および先端部１２５）の位置にシフトしている。そのため、上述した漏電防止や曇り防止を行なうにあたり、ウレタン樹脂１１１を、ケース１９の底面から囲い壁１２１の先端部１２３および囲い壁１２２の先端部１２５まで充填するだけでよいので、ウレタン樹脂１１１の使用量を減らしてコストを低減することもできる。
【００８０】
また、制御ユニット１８と操作・表示パネル１７との間にパッキン６８が介在され、液晶カバー３６内が密閉状態にされて液晶カバー３６内への蒸気や水分の侵入路が確実に遮断されているので、液晶表示器１６の表示面３９の曇りをより一層効果的に防止することができる。
また、この電気洗濯機１０は洗い・すすぎに加えて洗濯物の乾燥もできる機器であるため、乾燥運転中に、ブロアユニット２９が流れる温風によって熱せられて、ブロアユニット２９の近辺が高温度環境に置かれる場合がある。
【００８１】
このような場合であっても、図１２に示すように、マイコン３８は、操作・表示部１３が電気洗濯機１０に組み込まれた状態において、ブロアユニット２９の正面の領域から離れた領域に配置されているため、マイコン３８がブロアユニット２９の熱により熱せられて温度上昇することを抑制することができる。
さらに、マイコン３８が取り付けられたマイコン領域１１８の後側におけるウレタン樹脂１１１の厚みが、回路領域１１９の後側におけるウレタン樹脂１１１の厚みより厚くされている。つまり、操作・表示部１３が電気洗濯機１０に取り付けられた状態において、マイコン領域１１８の電気洗濯機１０の内部側部分を覆うウレタン樹脂１１１の厚みが厚くされているので、より一層の熱の遮断効果を得ることができる。また、マイコン領域１１８にだけウレタン樹脂１１１が厚く形成されているので、必要最小限のウレタン樹脂でマイコン３８の温度上昇を抑制することができる。さらに製造の際には、ウレタン樹脂の量を全体的に少なくできるので、製造工程の効率化（たとえば、製造工程の時間短縮、コストダウンなど）を図ることができる。
【００８２】
この発明は、以上説明した実施形態や変形例に限定されるものではなく、特許請求の範囲に記載の範囲内において種々の変更が可能である。
【図面の簡単な説明】
【００８３】
【図１】この発明の一実施形態に係る電気洗濯機１０の正面図である。
【図２】電気洗濯機１０を左後方斜め上部から見た斜視図であり、ハウジング１１を構成する背面パネルおよび上面パネルが取り外された状態の図である。
【図３】電気洗濯機１０を右後方から見た斜視図であり、ハウジングベース１１Ｂを除き、ハウジング１１が取り外された状態の斜視図である。
【図４】図１〜図３で説明した電気洗濯機１０における水を循環させる循環水路およびオゾンを含む空気を供給するオゾン供給路の構成を表わす浄化循環水路図である。
【図５】操作・表示部１３の外部構成を説明するための図であって、操作・表示部１３の正面図である。
【図６】操作・表示部１３の内部構成を説明するための図であって、制御ユニット１８の正面図である。
【図７】液晶カバー３６の構成を示す図であって、図７（ａ）は液晶カバー３６を右前方斜め上方から見た斜視図であり、図７（ｂ）は平面図、図７（ｃ）は正面図、図７（ｄ）は左側面図、図７（ｅ）は右側面図、図７（ｆ）は底面図、図７（ｇ）は背面図をそれぞれ示している。
【図８】液晶ケース３７の構成を示す図であって、図８（ａ）は液晶ケース３７を右前方斜め上方から見た斜視図であり、図８（ｂ）は正面図、図８（ｃ）は底面図、図８（ｄ）は左側面図、図８（ｅ）は右側面図、図８（ｆ）は背面図をそれぞれ示している。
【図９】操作・表示部１３の組立構造を説明するための平面図であって、各構成要素を透かして示している。
【図１０】操作・表示部１３の組立構造を説明するための断面図であって、図１０（ａ）は図９に示すＡ−Ａの切断面で切断したときの断面図、図１０（ｂ）は図９に示すＢ−Ｂの切断面で切断したときの断面図、図１０（ｃ）は図９のＣ−Ｃで示す切断面で切断したときの断面図である。
【図１１】電機洗濯機１０に組み込まれた操作・表示部１３を示す断面図であって、図１１（ａ）は図１０（ｂ）に対応する断面図、図１１（ｂ）は図１０（ｃ）に対応する断面図である。
【図１２】電気洗濯機１０に組み込まれた操作・表示部１３におけるマイコン３８の位置を説明するための電気洗濯機１０の平面図であって、ハウジング１１を構成する背面パネルおよび上面パネルが取り外された状態の図である。
【符号の説明】
【００８４】
１０    電気洗濯機
１３    操作・表示部
１６    液晶表示器
１７    操作・表示パネル
１９    ケース
２０    洗濯槽
２８    乾燥風路
２９    ブロアユニット
３３    制御基板
３６    液晶カバー
３８    マイコン
３９    表示面
６１    接続ホース
６８    パッキン
６９    接続端子
８４    端子開口
９７    丸脚
９９    位置決め開口
１００  係合爪
１１１  ウレタン樹脂
１１６  スペース
１１７  マイコン
１１８  マイコン領域
１１９  回路領域
１２１  囲い壁
１２２  囲い壁
１２３  先端部
１２５  先端部
【図１】
2008183050.tif 000003
【図２】
2008183050.tif 000004
【図３】
2008183050.tif 000005
【図４】
2008183050.tif 000006
【図５】
2008183050.tif 000007
【図６】
2008183050.tif 000008
【図７】
2008183050.tif 000009
【図８】
2008183050.tif 000010
【図９】
2008183050.tif 000011
【図１０】
2008183050.tif 000012
【図１１】
2008183050.tif 000013
【図１２】
2008183050.tif 000014